【手続補正書】
【提出日】平成30年6月15日(2018.6.15)
【手続補正１】
【補正対象書類名】特許請求の範囲
【補正対象項目名】全文
【補正方法】変更
【補正の内容】
【特許請求の範囲】
【請求項１】
カメラ組立体であって、
支持構造体と、
レンズキャリッジ、少なくとも１つのレンズ、及びオートフォーカス・アクチュエータ装置を備えるレンズ組立体であって、前記レンズは、光軸線を有し、前記レンズの光軸線に沿った前記レンズの動きを可能にするように前記レンズキャリッジ上に支持され、前記オートフォーカス・アクチュエータ装置は、前記レンズを前記レンズキャリッジに対して前記光軸線に沿って動かすように配置され、前記光軸線に垂直な面内での該レンズ組立体の前記支持構造体に対する動きを可能にするように、前記レンズキャリッジが前記支持構造体上に支持される、レンズ組立体と、
形状記憶合金ワイヤを備える光学式画像安定化組立体であって、前記形状記憶合金ワイヤは、前記光軸線に垂直な前記面内で前記レンズキャリッジを前記支持構造体に対して動かすように配置されている、光学式画像安定化組立体と、を備えるカメラ組立体であって、
前記光学式画像安定化組立体の少なくとも一部は、前記光軸線に沿った方向において前記レンズ組立体と重複する、カメラ組立体。
【請求項２】
前記光学式画像安定化組立体の前記レンズ組立体と重複する部分は、前記形状記憶合金ワイヤを含む、請求項１に記載のカメラ組立体。
【請求項３】
前記光学式画像安定化組立体は、前記支持構造体と前記レンズ組立体の間で軸受機能を実施するように配置された球体を備え、前記光学式画像安定化組立体の前記レンズ組立体と重複する部分は、前記球体を含む、請求項１または２に記載のカメラ組立体。
【請求項４】
前記光学式画像安定化組立体は、前記レンズ組立体に接続されたかしめ板を備え、前記かしめ板は、前記形状記憶合金ワイヤの一端をかしめるかしめ部を備え、前記かしめ板はある面内に延び、前記かしめ板は、前記かしめ部を前記レンズ組立体に向かう方向に前記かしめ板の前記面より上に位置決めするように成形される、請求項１から３のいずれか一項に記載のカメラ組立体。
【請求項５】
前記光学式画像安定化組立体は、可動プラットホームを備え、前記可動プラットホームは、かしめ板を含み、前記かしめ板は、前記形状記憶合金ワイヤの一端および架台をかしめており、前記架台は、前記架台の残りの部分から前記光軸線に沿った方向に前記レンズ組立体から離れるようにオフセットされた段差を有し、前記段差に前記レンズ組立体が接続される、請求項１から４のいずれか一項に記載のカメラ組立体。
【請求項６】
前記支持構造体に取り付けられた画像センサをさらに備える、請求項１から５のいずれか一項に記載のカメラ組立体。
【請求項７】
前記少なくとも１つのレンズは１０ｍｍ以下の直径を有する、請求項１から６のいずれか一項に記載のカメラ組立体。
【手続補正２】
【補正対象書類名】明細書
【補正対象項目名】００２４
【補正方法】変更
【補正の内容】
【００２４】
（態様１）
カメラ組立体であって、
支持構造体と、
レンズキャリッジ、少なくとも１つのレンズ、及びオートフォーカス・アクチュエータ装置を備えるレンズ組立体であって、前記レンズは、光軸線を有し、前記レンズの光軸線に沿った前記レンズの動きを可能にするように前記レンズキャリッジ上に支持され、前記オートフォーカス・アクチュエータ装置は、前記レンズを前記レンズキャリッジに対して前記光軸線に沿って動かすように配置されており、前記光軸線に垂直な面内での該レンズ組立体の前記支持構造体に対する動きを可能にするように、前記レンズキャリッジが前記支持構造体上に支持される、レンズ組立体と、
前記光軸線に垂直な前記面内で前記レンズキャリッジを前記支持構造体に対して動かすように配置された光学式画像安定化組立体と、を備えるカメラ組立体であって、
前記支持構造体と前記レンズ組立体の間に接続され、前記オートフォーカス・アクチュエータ装置への電気接続部を提供するフレキシブルプリント回路テープをさらに備え、前記フレキシブルプリント回路テープはコーナー部のまわりで曲げられる、カメラ組立体。
（態様２）
前記フレキシブルプリント回路テープは、９０度のコーナー部のまわりで曲げられる、態様１に記載のカメラ組立体。
（態様３）
前記フレキシブルプリント回路テープは、前記光軸線に平行な軸に沿って延びるコーナー部のまわりで曲げられる、態様１または２に記載のカメラ組立体。
（態様４）
前記コーナー部の各側面で前記フレキシブルプリント回路テープに接続される曲げ形成具をさらに備える、態様１から３のいずれか一項に記載のカメラ組立体。
（態様５）
前記曲げ形成具は金属で作られる、態様１から４のいずれか一項に記載のカメラ組立体。
（態様６）
前記曲げ形成具は、前記コーナー部の各側面上の隔てられた位置で前記フレキシブルプリント回路テープに接続される２つの取付部と、前記取付部間に延び、前記フレキシブルプリント回路テープに接続されない少なくとも１つの架橋部とを備える、態様５に記載のカメラ組立体。
（態様７）
前記少なくとも１つの架橋部は、前記フレキシブルプリント回路テープの外側で前記取付部間に延びる、態様６に記載のカメラ組立体。
（態様８）
前記少なくとも１つの架橋部は、前記フレキシブルプリント回路テープの両側の前記フレキシブルプリント回路テープの外側で前記取付部間に延びる２つの架橋部を含む、態様７に記載のカメラ組立体。
（態様９）
前記曲げ形成具は、前記架橋部を塑性変形させたシートから形成される、態様６から８のいずれか一項に記載のカメラ組立体。
（態様１０）
前記光学式画像安定化組立体は形状記憶合金ワイヤを備える、態様１から９のいずれか一項に記載のカメラ組立体。
（態様１１）
前記支持構造体に取り付けられた画像センサをさらに備える、態様１から１０のいずれか一項に記載のカメラ組立体。
（態様１２）
前記少なくとも１つのレンズは１０ｍｍ以下の直径を有する、態様１から１１のいずれか一項に記載のカメラ組立体。
（態様１３）
カメラ組立体であって、
支持構造体と、
レンズキャリッジ、少なくとも１つのレンズ、及びオートフォーカス・アクチュエータ装置を備えるレンズ組立体であって、前記レンズは、光軸線を有し、前記レンズの光軸線に沿った前記レンズの動きを可能にするように前記レンズキャリッジ上に支持され、前記オートフォーカス・アクチュエータ装置は、前記レンズを前記レンズキャリッジに対して前記光軸線に沿って動かすように配置されており、前記光軸線に垂直な面内での該レンズ組立体の前記支持構造体に対する動きを可能にするように、前記レンズキャリッジが前記支持構造体上に支持される、レンズ組立体と、
形状記憶合金ワイヤを備える光学式画像安定化組立体であって、前記形状記憶合金ワイヤは、前記光軸線に垂直な前記面内で前記レンズキャリッジを前記支持構造体に対して動かすように配置されている、光学式画像安定化組立体と、を備えるカメラ組立体であって、
前記光学式画像安定化組立体は、前記レンズ組立体に接続されたかしめ板を備え、前記かしめ板は、前記形状記憶合金ワイヤの一端をかしめており、前記かしめ板は、ある面内を延び、少なくとも１つの機能部を備え、前記機能部は、前記かしめ板の可撓性を低減するために前記かしめ板の前記面の外へ延びる、カメラ組立体。
（態様１４）
前記少なくとも１つの機能部は複数の機能部を含む、態様１３に記載のカメラ組立体。
（態様１５）
前記少なくとも１つの機能部は、前記かしめ板の前記面外へ曲げられた少なくとも１つのタブを含む、態様１３または１４に記載のカメラ組立体。
（態様１６）
前記支持構造体に取り付けられた画像センサをさらに備える、態様１３から１５のいずれか一項に記載のカメラ組立体。
（態様１７）
前記少なくとも１つのレンズは１０ｍｍ以下の直径を有する、態様１３から１６のいずれか一項に記載のカメラ組立体。
より適切な理解を可能にするために、次に本発明の実施形態を、添付図面を参照ながら非限定的な例によって説明する。